(57)【特許請求の範囲】
【請求項１】
建物の屋根の妻側に取り付けられる化粧板材であって、
前記化粧板材が前記屋根の平側に取り付けられる鼻隠し材よりも屋外側に突き出して伸び、
前記化粧板材が前記屋根の平側の部分と接続され、
前記化粧板材が、セメント系押出成形体からなる化粧板材本体と、該化粧板材本体の裏面に設けられたセメント系押出成形体からなる裏面側化粧板材とを含み、
前記化粧板材の裏面側に、前記屋根の平側の部分に接続可能な接続具が設けられ、
前記接続具が、前記化粧板材の裏面に設けられた補強金物を含み、
前記補強金物の基部が、前記化粧板材本体と前記裏面側化粧板材との間に内挿して設けられることを特徴とする破風用化粧板材。
【請求項２】
前記補強金物の先端部が前記化粧板材の裏面から離れる方向に折り曲げ可能に構成されることを特徴とする請求項１に記載の破風用化粧板材。
【請求項３】
前記屋根の平側の部分が、鼻隠し材または鼻隠し構成部材であることを特徴とする請求項１または２に記載の破風用化粧板材。
【請求項４】
前記補強金物の先端部に、前記屋根の平側の部分と接続するために用いるビス孔が設けられることを特徴とする請求項２に記載の破風用化粧板材。
【請求項５】
前記化粧板材により、妻側から見て雨樋の端面が隠れることを特徴とする請求項１から４の何れか１項に記載の破風用化粧板材。
【発明の詳細な説明】
【技術分野】
【０００１】
本発明は、建物の屋根の妻側に取り付けられる破風用化粧板材に関し、特に、この屋根の平側に取り付けられる鼻隠し材よりも屋外側に突き出して伸びた破風用化粧板材の構造に関する。
【背景技術】
【０００２】
住宅等の建物の屋根の妻側の外壁部分である破風には、外観デザインを向上させるため、破風用化粧板材が用いられる場合がある。このような破風用化粧板材の中には、屋根の先端よりも屋外側に突出するように配置して、化粧板材の先端部分によって、雨樋の端部を隠し、妻側から見えないようにすることにより、妻面の意匠的効果を上げるようにした構造が知られている（例えば、特許文献１参照）。
【０００３】
また、屋根の妻側の破風部分に露出した下地木材に対して、破風用化粧板材を釘等の固着具で打ちつけた構造が知られている（例えば、特許文献２参照）。
【０００４】
【特許文献１】特開平９−６０２２５号公報
【特許文献２】特開２０００−１６０７８６号公報
【発明の開示】
【発明が解決しようとする課題】
【０００５】
ところで、特許文献１に記載されたような破風用化粧板材では、破風の突き出し長さを長くすることにより、化粧板材が片持ち状態となって、釘等により固定される位置から先端側は自由端となり、ぐらつき易くなる。特に、近年、セメント系押出成形材からなる化粧板材が多く市場に供給されており、このような化粧板材では、合成樹脂系板材に比べ、やや耐衝撃性が劣るという問題を有する。
【０００６】
このような破風用化粧板材を屋根の破風部分に取り付けた後、近傍の鼻隠し用化粧板材や雨樋等の施工をする場合に、作業員のヘルメットや取り付けようとした化粧板材、雨樋等が、破風用化粧板材の先端の裏面（軒樋の端部に対向する側面）にぶつかることがあり、この衝撃により化粧板材に亀裂が入る恐れがある。
【０００７】
本発明は、上述した事情に鑑みてなされたものであり、施工作業中における衝撃に強く、破壊し難い簡素な構成の破風用化粧板材を提供することを目的とするものである。
【課題を解決するための手段】
【０００８】
上記の課題を解決するため、本発明に係る破風用化粧板材の１つの実施態様は、建物の屋根の妻側に取り付けられる化粧板材であって、前記化粧板材が前記屋根の平側に取り付けられる鼻隠し材よりも屋外側に突き出して伸び、前記化粧板材が前記屋根の平側の部分と接続されることを特徴とする。
【０００９】
ここで、「化粧板材が屋根の平側に取り付けられる鼻隠し材よりも屋外側に突き出して伸び」とは、化粧板材の先端部が、屋根の平側の外壁部分である鼻隠しよりも、勾配屋根の延長線方向に伸びていることを意味し、これにより、例えば、平側の軒下に取り付けられた雨樋の端部等を、妻側から見えないようにすることができる。
また、化粧板材と接続する屋根の平側の部分には、屋根の平側の外壁部分である鼻隠し部分が含まれる。この鼻隠し部分に化粧板材が取り付けられている場合には、この鼻隠し材（鼻隠し用化粧板材）と破風用化粧板材とを接続することも考えられるし、鼻隠し構成部材、すなわち鼻隠し材（鼻隠し用化粧板材）を取り付ける下地材と破風用化粧板材とを接続することも考えられるし、その他、建物の屋根の平側の任意の部分と破風用化粧板材とを接続することが考えられる。なお、固定の確実性及び容易性を鑑みれば、鼻隠し構成部材と接続するのが好ましく、特に、鼻隠し取付用木質下地材と接続するのが好ましい。また、両者を固定する方法としては、ネジ（ビス）止め、溶接、接着を始めとする任意の接合手段を用いることができる。その一例として、ブラケットとビス等の締結部材とを用いて接続することが考えられ、ブラケットは、後述するように、予め化粧板材に取り付けておくこともできるし、別部材とすることもできる。
【００１０】
本実施態様によれば、化粧板材を屋根の破風部分だけで固定する場合に比べて、化粧板材の先端により近い部分で固定できるので、この固定部分から化粧板材の先端までの距離をより短くすることができる。よって、仮に、化粧板材の先端部分に何らかの力が加わったとしても、その力による曲げ応力を小さくすることができるので、化粧板材の損傷を抑制することができる。
【００１１】
本発明に係る破風用化粧板材のその他の実施態様は、上記において、前記化粧板材の裏面側に、前記屋根の平側の部分に接続可能な接続具が設けられることを特徴とする。
【００１２】
本実施態様によれば、破風用化粧板材の裏面側に設けられた接続具を屋根の平側の部分に接続することにより、化粧板材を、容易に屋根の平側の部分に固定することができる。
【００１３】
本発明に係る破風用化粧板材のその他の実施態様は、上記において、前記接続具が、前記化粧板材の裏面に設けられた補強金物を含み、前記補強金物の先端部が前記化粧板材の裏面から離れる方向に折り曲げ可能に構成されることを特徴とする。
【００１４】
本実施態様によれば、破風用化粧板材の裏面に設けられた補強金物の先端部を施工現場において折り曲げることにより、破風用化粧板材の裏面と略直交するように位置する屋根の末端の面とを接続可能な状態とすることができる。また、補強金物の折り曲げ角度は、屋根末端の配置に適合するように現場合わせにて調整することができる。
【００１５】
本発明に係る破風用化粧板材のその他の実施態様は、上記において、前記補強金物の基部が、前記破風用化粧板材に内挿して設けられることを特徴とする。
【００１６】
本実施態様によれば、補強金物の基部が破風用化粧板材に内挿して設けられるので、補強金物の基部は破風用化粧板材に対して強固に連結される。また、破風用化粧板材の裏面に補強金物を固定するための部材を、別途設けることを要しない。
【００１７】
本発明に係る破風用化粧板材のその他の実施態様は、上記において、前記屋根の平側の部分が、鼻隠し材または鼻隠し構成部材であることを特徴とする。
【００１８】
本実施態様によれば、妻側だけでなく平側においても、意匠性に優れた外観を得ることができ、鼻隠し材または鼻隠し構成部材を用いれば、破風用化粧板材と確実、容易に接続することができる。
【００１９】
本発明に係る破風用化粧板材のその他の実施態様は、上記において、前記補強金物の先端部に、前記屋根の平側の部分と接続するために用いるビス孔が設けられることを特徴とする。
【００２０】
本実施態様によれば、補強金物の先端部を折り曲げて屋根の末端に合わせ、ビス孔にビスを打ち込むことにより、補強金物と屋根の末端とを容易に接続することが可能となる。
【００２１】
本発明に係る破風用化粧板材のその他の実施態様は、上記において、前記化粧板材により、妻側から見て雨樋の端面が隠れることを特徴とする。
【００２２】
本実施態様によれば、化粧板材によって、雨樋の端部が見えないようにすることができるので、妻面の意匠的効果を上げることができる。
【発明の効果】
【００２３】
以上のように、本発明によれば、屋根末端に取り付けられた破風用化粧板材に対して施工作業中に加えられる衝撃に対する構造強度を強くするとともに、近傍箇所の施工中に破風用化粧板材が誤って損傷を受けることを低減することができる。
【発明を実施するための最良の形態】
【００２４】
以下、本発明に係る破風用化粧板材の実施形態について図面を参照して説明する。
図１は、本発明に係る破風用化粧板材が建物の屋根の末端に取り付けられた一実施形態を示す概略正面図である。図２は、図１のＡ−Ａ線に沿った概略底面図である。図３は、図１のＢ−Ｂ線に沿った概略断面図である。
【００２５】
本発明に係る破風用化粧板材１０は、平板状のセメント系押出成形材であり、図１に示すように、建物の屋根１２の平側の外壁部分である鼻隠し部材（鼻隠し用化粧板）３７よりも屋外１６側に突き出して伸び、この屋外１６側に突出する先端部１８によって、雨樋２０の端面を妻面から隠すことができる。この破風用化粧板材１０の表面２２下側には、長手方向に延びた複数の凹凸によるストライプ模様の化粧部２４が形成されている。また、屋根１２の上端と化粧部２４の上側とをケラバ包み板２５が覆っている。このように破風用化粧板材１０を設けることにより、妻面の意匠的効果を上げるようになっている。破風用化粧板材１０の寸法としては、例えば、長手方向の長さ３m、上下方向の高さ２０cm、厚さ３cm程度を例示することができるが、これに限られるものではない。
【００２６】
破風用化粧板材１０は、図２および図３に示すように、その表面２２側が屋外１６側に向けられ、裏面２６側が建物躯体２８側に向けられて配置され、固定具、例えば保持金具３０を介してビス３２により、建物躯体２８の妻側に固定される。
【００２７】
破風用化粧板材１０の裏面２６には、屋根１２の平側の固定面となる鼻隠し用構成部材３８との接続具として、補強金物４０が設けられる。補強金物４０はステンレス製の略矩形状の薄平板であり、その基部４２は、破風用化粧板材１０の裏面２６に、先端側から長手方向中間部まで延びるように貼付けられた裏面側化粧板４４との間で形成される段差４６内に挿入されて、接着剤により固定される。なお、化粧板材１０を屋根１２の平側の部分と接続するのは、保持金具３０よりも化粧板材１０の先端側であり、補強金物４０を用いる場合は、保持金具３０よりも化粧板材先端側に位置するように固定される。
【００２８】
そして、補強金物４０の先端部４８は、裏面２６とのなす角度が略９０度となるように折り曲げられており、先端部４８の面に設けられた２つのビス孔５４を介して、鼻隠し用構成部材である鼻隠し用取付け下地材３８に対してビス５０により固定される。そして、固定された先端部４８の上から、鼻隠し部材（鼻隠し用化粧板）３７が鼻隠し用取付け下地材３８に取り付けられる。
なお、補強金物４０は、折り曲げ前においては、破風用化粧板材１０の裏面２６に沿う平行な状態になっているが、図４に示すように、破風用化粧板材１０の裏面２６から引き離す方向に折り曲げ可能になっている。
【００２９】
上記構成の機能、作用効果等について説明する。
例えば、雨樋２０を取り付けるために、破風用化粧板材１０の近傍で作業者が作業をしているとき、作業者のヘルメットや取り付けようとした雨樋２０が、破風用化粧板材１０の先端部１８の裏面２６にぶつかり、その衝撃力による曲げ応力によって、破風用化粧板材１０が損傷する（例えば、折れたり、ひびが入ったりする）恐れがある。その場合であっても、補強金物４０によって破風用化粧板材１０の先端近傍が固定されているので、保持金具３０の位置だけで固定している場合に比べて、曲げ応力を大きく減少させることができる。
【００３０】
したがって、破風用化粧板材１０が屋根１２の鼻隠し材３７よりも屋外１６側に突き出して伸びたとしても、施工作業中にその先端部１８に加えられる衝撃に対して、破壊や損傷の発生を低減することができる。
【００３１】
また、補強金物４０の先端部４８は、容易に折り曲げ可能であることから、施工前は裏面２６に沿う状態のままにしておき、施工中に折り曲げ加工をすることにより、鼻隠し用化粧板３８との接続を迅速かつ簡便に行うことができる構造となっている。こうした簡素な構成により、施工作業中において損傷を受けにくい破風用化粧板材１０を提供することができる。
【００３２】
上記の実施形態において、補強金物４０の先端部４８の面と鼻隠し用取付け下地材３８の外表面５２とを接面させ、先端部４８の面に設けられた２つのビス孔５４に板金ビス５０を打ち込むようにしてもよい。このように、補強金物４０と鼻隠し用取付け下地材３８とを接続することにより、破風用化粧板材１０を、補強金物４０を介して鼻隠し用取付け下地材３８に固定することができる。なお、先端部４８を折り曲げるタイミングは、破風用化粧板材１０を妻側に取り付ける前であってもよいし、取り付け後やその途中であってもよい。
【００３３】
上記の実施形態において、補強金物４０のビス５０は鼻隠し部材（鼻隠し用化粧板）３７自体に対して固定するようにしてもよいし、下地鉄骨に対して固定してもよく、これらの他、屋根１２の平側の領域であって、ビス止め等により破風用化粧板材１０の補強金物４０を固定することができるのであれば、建物躯体２８の他の部分でもよい。
【００３４】
上記の実施形態において、補強金物４０は、破風用化粧板材１０の先端部１８の側に基部４２を有するように設けられる場合について説明しているが、破風用化粧板材１０の先端部１８の側に先端部４８を有するように破風用化粧板材１０の裏面２６に設けるようにしてもよい。このようにしても本発明と同一の作用効果を奏することができる。
【００３５】
上記の実施形態において、補強金物４０としては、予め略L字状に折り曲げられた金具を破風用化粧板材１０の裏面２６に設けるようにしてもよく、このようにしても本発明と同一の作用効果を奏することができる。
【００３６】
なお、上記の実施形態においては、保持金具３０は、破風用化粧板材１０の裏面２６に対向する屋根１２の妻側躯体部分に設けられ、躯体部分から屋外１６側へ水平方向に突き出て上方に屈曲した先端をなすL字断面状の部分を上下２箇所に備える。保持金具３０は、例えば図５および図６のように、略矩形平板状の上側と下側とにL字状の屈曲部５８を備えるようにして構成される。
【００３７】
また、上記の実施形態において、破風用化粧板材１０の裏面２６側には、逆L字状の鍵状部６０が、保持金具３０の屈曲部５８に対応するように上下２箇所に形成されている。破風用化粧板材１０を取り付ける際には、鍵状部６０を屈曲部５８に載せて仮固定し、次いで保持金具３０のビス孔３３にビス３２を打ち込むことにより破風用化粧板材１０を建物躯体２８に固定することができる。
【図面の簡単な説明】
【００３８】
【図１】本発明に係る破風用化粧板材が建物の屋根の末端に取り付けられた一実施形態を示す概略正面図である。
【図２】図１のＡ−Ａ線に沿った概略底面図である。
【図３】図１のＢ−Ｂ線に沿った概略断面図である。
【図４】金属板が折り曲げられる前における本発明に係る破風用化粧板材の裏面の一実施形態を示す概略平面図である。
【図５】建物躯体に設けられる保持金具を示す概略正面図である。
【図６】建物躯体に設けられる保持金具を示す概略断面図である。
【符号の説明】
【００３９】
１０  破風用化粧板材
１２  屋根
１６  屋外
１８  先端部
２２  表面
２４  化粧部
２５  ケラバ包み板
２６  裏面
２８  建物躯体
３０  保持金具
３２  ビス
３３  ビス孔
３７  鼻隠し部材（鼻隠し用化粧板）
３８  鼻隠し用取付け下地材
４０  補強金物（接続具）
４２  基部
４８  先端部
５０  ビス
５２  外表面
５４  ビス孔
５８  屈曲部
６０  鍵状部
【図１】
0005091658.tif 000002
【図２】
0005091658.tif 000003
【図３】
0005091658.tif 000004
【図４】
0005091658.tif 000005
【図５】
0005091658.tif 000006
【図６】
0005091658.tif 000007